(57)【要約】【課題】取り付けおよび取り外しが容易な配管継手を提供する。【解決手段】配管継手は、パイプ部材を中に受け入れるための円筒形の穴を画定する少なくとも１つの受け部材を有するハウジングと；受け部材内にフィットした形で挿入され、前記パイプ部材とシール係合するような寸法である少なくとも１つの環状シールと；それを通して前記パイプ部材を受け入れるような寸法であり、前記受け部材内に前記パイプ部材をロックするために内側に延びる歯を含む環状ロック部材と；前記受け部材に挿入される環状解放部材であって、ロック位置と、前記パイプ部材を解放するために前記環状解放部材の前記傾斜部分が前記歯を押す解放位置との間で移動可能である環状解放部材とを含む。【選択図】図１７
2019523380.tif 000002
【特許請求の範囲】
【請求項１】
パイプ部材を中に受け入れるための円筒形の穴を画定する少なくとも１つの受け部材を有するハウジングと、
前記受け部材内にフィットした形で挿入され、前記パイプ部材とシール係合するような寸法である少なくとも１つの環状シールと、
環状基部と、前記受け部材内に前記パイプ部材をロックするために内側に延びる歯とを含む環状ロック部材であって、前記環状基部は前記受け部材内に挿入され、前記環状ロック部材はそれを通して前記パイプ部材を受け入れるような寸法である環状ロック部材と、
前記受け部材に挿入され、傾斜部分を含む環状解放部材であって、それを通して前記パイプ部材を受け入れるような寸法であり、内面に形成された肩部に前記傾斜部分が当接する、前記パイプを前記受け部材内にロックするためのロック位置と、前記パイプ部材を解放するために前記傾斜部分が前記環状ロック部材の前記歯を押す解放位置との間で前記受け要素内を移動可能である環状解放部材と、
を含む、配管継手。
【請求項２】
パイプ部材を中に受け入れるための円筒形の穴を画定する少なくとも１つの受け部材を有するハウジングと、
前記受け部材内に形成された環状溝内にフィットした形で挿入され、前記パイプ部材とシール係合するような寸法である少なくとも１つの環状シールと、
環状基部と、前記受け部材内に前記パイプ部材をロックするために内側に延びる歯とを含む環状ロック部材であって、前記環状基部は前記受け部材内に挿入された受け要素と接触するような寸法であり、前記環状ロック部材はそれを通して前記パイプ部材を受け入れるような寸法である環状ロック部材と、
前記受け要素および前記受け部材内に挿入され、傾斜部分を含む環状解放部材であって、それを通して前記パイプ部材を受け入れるような寸法であり、前記受け要素の内面に形成された肩部に前記傾斜部分が当接する、前記パイプを前記受け部材内にロックするためのロック位置と、前記パイプ部材を解放するために前記傾斜部分が前記環状ロック部材の前記歯を押す解放位置との間で前記受け要素内を移動可能である環状解放部材と、
を含む、配管継手。
【請求項３】
パイプ部材を中に受け入れるための円筒形の穴を画定する少なくとも１つの受け部材を有するハウジングと、
前記受け部材内に形成された環状溝内にフィットした形で挿入され、前記パイプ部材とシール係合するような寸法である少なくとも１つの環状シールと、
環状基部と、前記受け部材内に前記パイプ部材をロックするために内側に延びる歯とを含む環状ロック部材であって、前記環状基部は前記受け部材内に形成された第１のチャンバ内に挿入された受け要素内に挿入され、前記環状ロック部材はそれを通して前記パイプ部材を受け入れるような寸法である環状ロック部材と、
前記受け要素および前記受け部材に挿入され、傾斜部分を含む環状解放部材であって、それを通して前記パイプ部材を受け入れるような寸法であり、前記受け要素の内面に形成された肩部に前記傾斜部分が当接する、前記パイプを前記受け部材内にロックするためのロック位置と、前記パイプ部材を解放するために前記傾斜部分が前記環状ロック部材の前記歯を押す解放位置との間で前記受け要素内を移動可能である環状解放部材と、
を含む、配管継手。
【請求項４】
前記受け要素が前記受け部材の内側に前記環状ロック部材および前記少なくとも１つの環状シールを維持する、請求項２または３に記載の配管継手。
【請求項５】
前記受け要素が前記受け部材に接着される、請求項４に記載の配管継手。
【請求項６】
前記受け要素が前記受け部材にスナップ嵌めされる、請求項４に記載の配管継手。
【請求項７】
前記受け要素が、前記受け部材内に画定された突き合わせ溝内にロックするのに有効な少なくとも１つのニップルを含む、請求項６に記載の配管継手。
【請求項８】
前記環状ロック部材と前記環状シールとの間に配置されたスペーサをさらに含み、前記スペーサは、前記ロック部材の前記歯を内側に付勢する、請求項１〜７のいずれか一項に記載の配管継手。
【請求項９】
少なくとも１つの別の環状シールをさらに含み、前記シールは前記パイプ部材が受け入れられる前記受け部材の受入れ端部で接続される、請求項１〜８のいずれか一項に記載の配管継手。
【請求項１０】
パイプ部材を中に受け入れるための円筒形の穴を画定する少なくとも１つの受け部材を有するハウジングと、
前記受け部材内に形成された環状溝内にフィットした形で挿入され、前記パイプ部材とシール係合するような寸法である少なくとも１つの環状シールと、
環状基部と、前記受け部材内に前記パイプ部材をロックするために内側に延びる歯とを含む環状ロック部材であって、前記環状基部は前記受け部材内に形成された第１のチャンバ内に挿入され、前記環状ロック部材はそれを通して前記パイプ部材を受け入れるような寸法である環状ロック部材と、
前記受け部材に挿入され、傾斜部分を含む環状解放部材であって、それを通して前記パイプ部材を受け入れるような寸法であり、前記受け部材の内面に形成された肩部に前記傾斜部分が当接するロック位置と、前記パイプ部材を解放するために前記傾斜部分が前記歯を押す解放位置との間で前記受け部材内を移動可能である環状解放部材と、
を含む、配管継手。
【請求項１１】
パイプ部材を中に受け入れるための円筒形の穴を画定する少なくとも１つの受け部材を有するハウジングと、
前記受け部材内に形成された環状溝内にフィットした形で挿入され、前記パイプ部材とシール係合するような寸法である少なくとも１つの環状シールと、
環状基部と、前記受け部材内に前記パイプ部材をロックするために内側に延びる歯とを含む環状ロック部材であって、前記環状基部は前記受け部材内に形成された第１のチャンバ内に挿入され、前記環状ロック部材はそれを通して前記パイプ部材を受け入れるような寸法である環状ロック部材と、
前記受け部材に挿入され、傾斜部分を含む環状解放部材であって、それを通して前記パイプ部材を受け入れるような寸法であり、前記受け部材の内面に形成された肩部に前記傾斜部分が当接するロック位置と、前記パイプ部材を解放するために前記傾斜部分が前記歯を押す解放位置との間で前記受け部材内を移動可能である環状解放部材とを含み、
前記環状解放部材が工具なしで作動可能である、
配管継手。
【請求項１２】
前記環状解放部材が手動で作動可能である、請求項１〜１１のいずれか一項に記載の配管継手。
【請求項１３】
前記少なくとも１つの受け部材が前記ハウジングの端部に配置される、請求項１〜１２のいずれか一項に記載の配管継手。
【請求項１４】
前記少なくとも１つの環状シールおよび前記環状溝が一体的に形成される、請求項１０または１１に記載の配管継手。
【請求項１５】
前記少なくとも１つの環状シールの内径が前記ハウジングの内径よりも小さい、請求項１〜１４のいずれか一項に記載の配管継手。
【請求項１６】
前記少なくとも１つの環状シールがＯリングである、請求項１〜１５のいずれか一項に記載の配管継手。
【請求項１７】
前記配管継手が２つの環状シールを含む、請求項１〜１６のいずれか一項に記載の配管継手。
【請求項１８】
前記２つの環状シールがＯリングである、請求項１７に記載の配管継手。
【請求項１９】
前記２つの環状シールが互いに隣接していない、請求項１７または１８に記載の配管継手。
【請求項２０】
前記歯が、前記受け部材内での前記パイプ部材の回転運動および長手方向運動を防止するように寸法決めされている、請求項１〜１９のいずれか一項に記載の配管継手。
【請求項２１】
前記環状ロック部材の前記環状基部が、前記受け部材内での前記環状ロック部材の回転運動および長手方向運動を抑制するためにそこから外側に延びる少なくとも１つのロックタブを含み、前記少なくとも１つのロックタブは前記受け部材内に形成されたロック溝内に挿入される、請求項１〜２０のいずれか一項に記載の配管継手。
【請求項２２】
前記環状ロック部材の前記環状基部が、前記受け部材に形成された２つのロック溝に挿入される２つのロックタブを含む、請求項２１に記載の配管継手。
【請求項２３】
前記環状ロック部材が非腐食性の金属またはプラスチックから作られる、請求項１〜２２のいずれか一項に記載の配管継手。
【請求項２４】
前記非腐食性金属がステンレス鋼である、請求項２３に記載の配管継手。
【請求項２５】
前記歯が鋸歯状縁部を含む、請求項１〜２４のいずれか一項に記載の配管継手。
【請求項２６】
前記傾斜部分が、前記受け部材に形成された第２のチャンバに載る、請求項１〜２５のいずれか一項に記載の配管継手。
【請求項２７】
前記第２のチャンバから突出する棚部が、前記傾斜部分が当接する前記肩部を形成する、請求項２６に記載の配管継手。
【請求項２８】
前記環状解放部材が前記解放位置にあるとき、前記傾斜部分は、前記受け部材の表面に向かって変位される前記歯を押し、それによって前記歯を前記パイプ要素から解放する、請求項１〜２７のいずれか一項に記載の配管継手。
【請求項２９】
前記環状解放部材が、前記傾斜部分の反対側にフランジ付き端部をさらに含む、請求項１〜２８のいずれか一項に記載の配管継手。
【請求項３０】
前記フランジ付き端部が前記環状解放部材から半径方向外側に延びる、請求項２９に記載の配管継手。
【請求項３１】
前記フランジ付き端部が、前記ハウジング内での前記環状解放部材の動きを制限するように前記受け部材に当接する、請求項２９または３０に記載の配管継手。
【請求項３２】
前記フランジ付き端部を押すと、前記傾斜部分が前記歯に押し付けられ、それによって前記歯が前記パイプ部材から解放される、請求項２９〜３１に記載の配管継手。
【請求項３３】
前記歯からの前記パイプ要素の解放は工具に頼らなくてもよい、請求項１〜３２のいずれか一項に記載の配管継手。
【請求項３４】
前記環状解放部材は工具がなくても作動可能である、請求項１〜１０のいずれか一項に記載の配管継手。
【請求項３５】
前記ハウジングが、互いに流体流連通している２つの受け部材を含む、請求項１〜３４のいずれか一項に記載の配管継手。
【請求項３６】
前記２つの受け部材がそれらの間に管体を含む、請求項３５に記載の配管継手。
【請求項３７】
前記ハウジングが３つの受け部材を含む、請求項１〜３６のいずれか一項に記載の配管継手。
【請求項３８】
前記配管継手が、エンドキャップ、カップリング継手、Ｙ継手、Ｔ継手、ＴＹ継手、４５°エルボ継手、または９０°エルボ継手である、請求項１〜３７のいずれか一項に記載の配管継手。
【請求項３９】
前記少なくとも１つの受け部材が、互いに組み合わされた第１の受け部材部分と第２の受け部材部分とから構成される、請求項１〜３８のいずれか一項に記載の配管継手。
【請求項４０】
前記第１の受け部材と第２の受け部材とが一体的に形成される、請求項３９に記載の配管継手。
【請求項４１】
前記第１の受け部材および第２の受け部材が、雌型縁部およびそれと確実に結合するための雄型縁部を含む、請求項３９または４０に記載の配管継手。
【請求項４２】
前記ロック部材の歯を内側に付勢および／または維持するためのスペーサをさらに含む、請求項１〜４１のいずれか一項に記載の配管継手。
【請求項４３】
前記ロッキングの歯が所望の位置を越えて外側に移動するのを防止するためのスペーサをさらに含む、請求項１〜４１のいずれか一項に記載の配管継手。
【請求項４４】
配管継手の製造方法であって、
受け部材の第１の半部を得ること、
前記受け部材の前記第１の半部に少なくとも１つの環状シール部材、環状ロック部材および環状解放部材を挿入すること、および
前記少なくとも１つの環状シール部材、前記環状ロック部材および前記環状解放部材を間に挟むように前記受け部材の前記第１の半部を前記受け部材の前記第２の半部と１つに組み合わせること、
を含む、方法。
【請求項４５】
前記受け部材部分が１つに組み合わされると、前記少なくとも１つの環状シールを受けるための環状溝が形成される、請求項４４に記載の方法。
【請求項４６】
前記受け部材部分が１つに組み合わされると、前記環状ロック部材の環状基部を受けるための第１のチャンバが形成される、請求項４４または４５に記載の方法。
【請求項４７】
前記受け部材部分が１つに組み合わされると、前記環状解放部材の傾斜部分を受けるための第２のチャンバが形成される、請求項４４〜４６のいずれか一項に記載の方法。
【請求項４８】
配管継手を製造する方法であって、
受け部材の第１の部分を得ること、
前記受け部材の前記第１の部分に少なくとも１つの環状シール部材、環状ロック部材および環状解放部材を挿入すること、および
前記少なくとも１つの環状シール部材、前記環状ロック部材および前記環状解放部材を間に挟むように前記受け部材の前記第１の部分を前記受け部材の第２の部分および前記受け部材の第３の部分と１つに組み合わせること、
を含む、方法。
【請求項４９】
受け部材の第１の半部を得ること、
前記受け部材の前記第１の半部に少なくとも１つの環状シール部材、環状ロック部材および環状解放部材を挿入すること、および
前記少なくとも１つの環状シール部材、前記環状ロック部材および前記環状解放部材を間に挟むように前記受け部材の前記第１の半部を前記受け部材の第２の半部と１つに組み合わせること
を含む、請求項１〜４３のいずれか一項に記載の配管継手を製造する方法。
【請求項５０】
前記受け部材内に形成された前記環状溝に前記少なくとも１つの環状シールを挿入すること、
前記環状ロック部材を前記受け要素に挿入すること、
前記環状解放部材を前記受け要素に挿入すること、および
前記受け要素を前記受け部材の前記第１のチャンバに挿入すること、
を含む、請求項１〜９のいずれか一項に記載の配管継手を製造する方法。
【請求項５１】
前記少なくとも１つの環状シールを前記前記受け部材に挿入すること、
前記環状ロック部材を前記受け部材に挿入すること、
前記受け要素を前記受け部材に挿入すること、および
前記環状解放部材を前記受け部材に挿入すること、
を含む、請求項１〜９のいずれか一項に記載の配管継手を製造する方法。
【請求項５２】
前記少なくとも１つの環状シールを前記前記受け部材に挿入すること、
前記少なくとも１つのスペーサを前記前記受け部材に挿入すること、
前記環状ロック部材を前記受け部材に挿入すること、
前記受け要素を前記受け部材に挿入すること、および
前記環状解放部材を前記受け部材に挿入すること、
を含む、請求項１〜９のいずれか一項に記載の配管継手を製造する方法。
【請求項５３】
少なくとも１つの配管継手と、
少なくとも１つの環状シールと、
パイプ部材を前記配管継手にロックするための少なくとも１つの環状ロック部材と、
前記ロック部材の歯を外側に付勢し前記パイプ部材を解放するための少なくとも１つの環状解放部材と、
を含む、キット。
【請求項５４】
請求項１〜４１のいずれか一項に記載の少なくとも１つの配管継手と、
請求項１〜４１のいずれか一項に記載の少なくとも１つの環状シールと、
請求項１〜４１のいずれか一項に記載の少なくとも１つの環状ロック部材と、
請求項１〜４１のいずれか一項に記載の少なくとも１つの環状解放部材と、
を含む、キット。
【請求項５５】
配管継手とパイプ部材を接続するための方法であって、
前記継手内に含まれる環状ロック部材に前記パイプを挿入すること、および
前記パイプを前記継手内にロックするために歯がロック位置へ移動するように前記ロック部材の前記歯を解放すること、
を含む、方法。
【請求項５６】
配管継手とパイプ部材を接続するための方法であって、
前記パイプを前記環状ロック部材および前記継手に挿入し、前記配管継手内に配置された環状ロック部材の歯を外側に押してそれらを解放位置に配置するようにすること、および
前記パイプを前記継手内にロックするために前記歯がロック位置へ戻るように前記歯に対して加えられた圧力を解放すること、
を含む、方法。
【請求項５７】
配管継手とパイプ部材をシール係合するための方法であって、
前記継手内に含まれる環状ロック部材に前記パイプを挿入し、前記継手内に配置された少なくとも１つのシールと前記パイプ部材を接触させること、および
前記パイプを前記継手内にロックするために歯がロック位置へ戻るように前記ロック部材の歯に対して加えられた圧力を解放すること、
を含む、方法。
【請求項５８】
配管継手とパイプ部材をシール係合するための方法であって、
前記配管継手内に配置された環状ロック部材の歯を外側に押してそれらを解放位置に配置することによって前記環状ロック部材および前記継手に前記パイプを挿入すること、
前記継手内に配置された少なくとも１つのシールと前記パイプ部材を接触させること、および
前記パイプを前記継手内にロックするために前記歯がロック位置へ戻るように前記歯に対して加えられた圧力を解放すること、
を含む、方法。
【請求項５９】
前記パイプ部材を前記配管継手に押し込むことによって前記パイプ部材に圧力を加えることによって前記パイプ部材を前記配管継手に挿入することは、前記歯を外側へ前記解放位置へと移動させ、前記パイプ部材を解放することによって前記歯は前記ロック位置に戻される、請求項５５〜５８のいずれか一項に記載の方法。
【請求項６０】
前記パイプ部材を前記配管継手内に押し込むことによって前記パイプ部材を前記配管継手に挿入することは、前記歯を外側へ前記解放位置へと移動させ、前記パイプ部材を解放することによって前記歯は前記ロック位置に戻される、請求項５５〜５８のいずれか一項に記載の方法。
【請求項６１】
前記配管継手内に配置された解放部材に圧力を加えることによって前記配管継手と前記パイプ部材とを互いに切り離すことであって、この際、前記解放部材に圧力を加えると前記歯は前記パイプ部材を自由にするように前記解放位置へと外側に付勢される、切り離すこと、および前記パイプ部材を前記配管継手から引き抜くことをさらに含む、請求項５５〜５８のいずれか一項に記載の方法。
【請求項６２】
前記方法が接着剤のない状態で実施される、請求項５５〜５８のいずれか一項に記載の方法。
【請求項６３】
前記方法が配管工具のない状態で実施される、請求項５５〜５８のいずれか一項に記載の方法。
【請求項６４】
前記方法が単に手を使用して実施される、請求項５５〜５８のいずれか一項に記載の方法。
【発明の詳細な説明】
【技術分野】
【０００１】
関連出願の相互参照
本出願は、２０１６年７月３１日に出願された米国仮特許出願第６２／３６９，１１９号、２０１６年８月１９日に出願された米国仮出願第６２／３７６，９４２号、２０１７年３月２０日に出願された米国仮出願第６２／４７４，０４３号、および２０１７年４月７日に出願された米国仮特許出願第６２／４８２，７２１号に基づく優先権を主張する。これらの文献はその全体が参照により本明細書に組み込まれる。
【０００２】
本開示は、ドレン、排水および通気（ＤＷＶ：ｄｒａｉｎ，  ｗａｓｔｅ  ａｎｄ  ｖｅｎｔ）システムで使用するための配管継手に関し、より詳細には、どのような種類のパイプにも存在し得る接着剤も他のいかなる種類の融着も使用せずにパイプを互いに接続するための配管継手に関する。
【背景技術】
【０００３】
ＤＷＶシステム用の配管継手の取り付けは、通常、パイプと継手との間に一種の接着剤を必要とする。パイプに対する継手の不適切なシールは、望ましくない混乱や潜在的な損傷を引き起こし得るさまざまな種類の漏れの原因となる可能性がある。
【０００４】
典型的には、ＤＷＶシステムで使用するためにいずれかの種類のプラスチックパイプに接着または融着される継手は、それが正しく接続されていない場合、パイプから切り離されなければならず、さらにいくらかの水がパイプ、接着剤または融着を通って流れている場合、ＤＷＶシステムは適切に機能せず、水漏れや悪臭の潜在的な危険につながる。さらに、継手の取り付けは、一部のユーザにとって高レベルの困難を示す。
【０００５】
接着剤も他の融着も必要としない様々な種類の配管継手が開発されている。しかしながら、残る欠点は、パイプを継手から分離するための特別な工具、例えば切離し用クリップまたはトングが必要とされることである。これらの工具は、不自然な空間または狭い空間での使用が困難である場合がある。
【発明の概要】
【０００６】
したがって、既存の技術の不利点に少なくとも部分的に対処し得る装置または方法を提供することが非常に望ましいであろう。
【０００７】
一態様において、配管継手であって
パイプ部材を中に受け入れるための円筒形の穴を画定する少なくとも１つの受け部材を有するハウジングと、
受け部材内にフィットした形で挿入され、パイプ部材とシール係合するような寸法である少なくとも１つの環状シールと、
環状基部と、受け部材内にパイプ部材をロックするために内側に延びる歯とを含む環状ロック部材であって、環状基部は受け部材内に挿入され、環状ロック部材はそれを通してパイプ部材を受け入れるような寸法である環状ロック部材と、
受け部材に挿入され、傾斜部分を含む環状解放部材であって、それを通してパイプ部材を受け入れるような寸法であり、パイプを受け部材内にロックするためのロック位置と、パイプ部材を解放するために傾斜部分が環状ロック部材の歯を押す解放位置との間で受け要素内を移動可能である環状解放部材と、
を含む、配管継手が提供される。
【０００８】
別の態様において、配管継手であって、
パイプ部材を中に受け入れるための円筒形の穴を画定する少なくとも１つの受け部材を有するハウジングと、
受け部材内にフィットした形で挿入され、パイプ部材とシール係合するような寸法である少なくとも１つの環状シールと、
環状基部と、受け部材内にパイプ部材をロックするために内側に延びる歯とを含む環状ロック部材であって、環状基部は受け部材内に挿入され、環状ロック部材はそれを通してパイプ部材を受け入れるような寸法である環状ロック部材と、
受け部材に挿入され、傾斜部分を含む環状解放部材であって、それを通してパイプ部材を受け入れるような寸法であり、内面に形成された肩部に傾斜部分が当接する、パイプを受け部材内にロックするためのロック位置と、パイプ部材を解放するために傾斜部分が環状ロック部材の歯を押す解放位置との間で受け要素内を移動可能である環状解放部材と、
を含む、配管継手が提供される。
【０００９】
別の態様において、配管継手であって、
パイプ部材を中に受け入れるための円筒形の穴を画定する少なくとも１つの受け部材を有するハウジングと、
受け部材内に形成された環状溝内にフィットした形で挿入され、パイプ部材とシール係合するような寸法である少なくとも１つの環状シールと、
環状基部と、受け部材内にパイプ部材をロックするために内側に延びる歯とを含む環状ロック部材であって、環状基部は受け部材内に挿入された受け要素と接触するような寸法であり、環状ロック部材はそれを通してパイプ部材を受け入れるような寸法である環状ロック部材と、
受け要素および受け部材に挿入され、傾斜部分を含む環状解放部材であって、それを通してパイプ部材を受け入れるような寸法であり、受け要素の内面に形成された肩部に傾斜部分が当接する、パイプを受け部材内にロックするためのロック位置と、パイプ部材を解放するために傾斜部分が環状ロック部材の歯を押す解放位置との間で受け要素内を移動可能である環状解放部材と、
を含む、配管継手が提供される。
【００１０】
別の態様において、配管継手であって、
パイプ部材を中に受け入れるための円筒形の穴を画定する少なくとも１つの受け部材を有するハウジングと、
受け部材内に形成された環状溝内にフィットした形で挿入され、パイプ部材とシール係合するような寸法である少なくとも１つの環状シールと、
環状基部と、受け部材内にパイプ部材をロックするために内側に延びる歯とを含む環状ロック部材であって、環状基部は受け部材内に形成された第１のチャンバ内に挿入された受け要素内に挿入され、環状ロック部材はそれを通してパイプ部材を受け入れるような寸法である環状ロック部材と、
受け要素および受け部材に挿入され、傾斜部分を含む環状解放部材であって、それを通してパイプ部材を受け入れるような寸法であり、受け要素の内面に形成された肩部に傾斜部分が当接する、パイプを受け部材内にロックするためのロック位置と、パイプ部材を解放するために傾斜部分が環状ロック部材の歯を押す解放位置との間で受け要素内を移動可能である環状解放部材と、
を含む、配管継手が提供される。
【００１１】
別の態様において、配管継手であって、
パイプ部材を中に受け入れるための円筒形の穴を画定する少なくとも１つの受け部材を有するハウジングと、
受け部材内に形成された環状溝内にフィットした形で挿入され、パイプ部材とシール係合するような寸法である少なくとも１つの環状シールと、
環状基部と、受け部材内にパイプ部材をロックするために内側に延びる歯とを含む環状ロック部材であって、環状基部は受け部材内に形成された第１のチャンバ内に挿入され、環状ロック部材はそれを通してパイプ部材を受け入れるような寸法である環状ロック部材と、
受け部材に挿入され、傾斜部分を含む環状解放部材であって、それを通してパイプ部材を受け入れるような寸法であり、受け部材の内面に形成された肩部に傾斜部分が当接するロック位置と、パイプ部材を解放するために傾斜部分が歯を押す解放位置との間で受け部材内を移動可能である環状解放部材と、
を含む、配管継手が提供される。
【００１２】
別の態様において、配管継手であって、
パイプ部材を中に受け入れるための円筒形の穴を画定する少なくとも１つの受け部材を有するハウジングと、
受け部材内に形成された環状溝内にフィットした形で挿入され、パイプ部材とシール係合するような寸法である少なくとも１つの環状シールと、
環状基部と、受け部材内にパイプ部材をロックするために内側に延びる歯とを含む環状ロック部材であって、環状基部は受け部材内に形成された第１のチャンバ内に挿入され、環状ロック部材はそれを通してパイプ部材を受け入れるような寸法である環状ロック部材と、
受け部材に挿入され、傾斜部分を含む環状解放部材であって、それを通してパイプ部材を受け入れるような寸法であり、受け部材の内面に形成された肩部に傾斜部分が当接するロック位置と、パイプ部材を解放するために傾斜部分が歯を押す解放位置との間で受け部材内を移動可能である環状解放部材とを含み、
環状解放部材が工具なしで作動可能である、
配管継手が提供される。
【００１３】
さらに、配管継手を製造する方法であって、
受け部材の第１の半部を得ること、
受け部材の第１の半部に少なくとも１つの環状シール部材、環状ロック部材および環状解放部材を挿入すること、および
少なくとも１つの環状シール部材、環状ロック部材および環状解放部材を間に挟むように受け部材の第１の半部を受け部材の第２の半部と組み合わせること、
を含む、方法が本明細書に提供される。
【００１４】
別の態様において、配管継手を製造する方法であって、
受け部材の第１の部分を得ること、
受け部材の第１の部分に少なくとも１つの環状シール部材、環状ロック部材および環状解放部材を挿入すること、および
少なくとも１つの環状シール部材、環状ロック部材および環状解放部材を間に挟むように受け部材の第１の部分を受け部材の第２の部分および受け部材の第３の部分と組み合わせること、
を含む、方法が提供される。
【００１５】
別の態様において、
少なくとも１つの配管継手と、
少なくとも１つの環状シールと、
パイプ部材を配管継手にロックするための少なくとも１つの環状ロック部材と、
ロック部材の歯を外側に付勢しパイプ部材を解放するための少なくとも１つの環状解放部材と、
を含む、キットが提供される。
【００１６】
別の態様において、
本開示で定義された少なくとも１つの配管継手と、
本開示で定義された少なくとも１つの環状シールと、
本開示で定義された少なくとも１つの環状ロック部材と、
本開示で定義された少なくとも１つの環状解放部材と、
を含む、キットが提供される。
【００１７】
別の態様において、配管継手とパイプ部材を接続するための方法であって、
継手内に含まれる環状ロック部材にパイプを挿入すること、および
パイプを継手内にロックするために歯がロック位置へ移動するようにロック部材の歯を解放すること、
を含む、方法が提供される。
【００１８】
別の態様において、配管継手とパイプ部材を接続するための方法であって、
パイプを環状ロック部材および継手に挿入し、配管継手内に配置された環状ロック部材の歯を外側に押してそれらを解放位置に配置するようにすること、および
パイプを継手内にロックするために歯がロック位置へ戻るように歯に対して加えられた圧力を解放すること、
を含む、方法が提供される。
【００１９】
別の態様において、配管継手とパイプ部材をシール係合するための方法であって、
継手内に含まれる環状ロック部材にパイプを挿入し、継手内に配置された少なくとも１つのシールとパイプ部材を接触させること、および
パイプを継手内にロックするために歯がロック位置へ戻るようにロック部材の歯に対して加えられた圧力を解放すること、
を含む、方法が提供される。
【００２０】
別の態様において、配管継手とパイプ部材をシール係合するための方法であって、
配管継手内に配置された環状ロック部材の歯を外側に押してそれらを解放位置に配置するようにすることによって環状ロック部材および継手にパイプを挿入すること、
継手内に配置された少なくとも１つのシールとパイプ部材を接触させること、および
パイプを継手内にロックするために歯がロック位置へ戻るように歯に対して加えられた圧力を解放すること、
を含む、方法が提供される。
【００２１】
本明細書に開示されている配管継手、キットおよび方法は、取り付けおよび取り外しを容易にする。パイプ要素を配管継手に簡単に押し込むことができるため、有毒で臭いのある接着剤やその他の融着手段を必要とせずに安全なシールを提供する。継手は、配管継手もパイプ要素も切断する必要なく必要に応じて取り外すことができる。さらに、配管継手は、切り離し工具に頼る必要なく取り外すことができる。例えば、パイプまたはチューブは、環状解放部材（例えば、解放カラー）を単に手で押すことによって取り外すことができる。
【００２２】
以下の図は非限定的な例を示す。
【図面の簡単な説明】
【００２３】
【図１】１つの例示的な実施形態による、受け部材を囲むエンドキャップの正面図を示す。
【図２】１つの例示的な実施形態による環状解放部材（例えば解放カラー）の斜視図を示す。
【図３】１つの例示的な実施形態による環状ロックの正面図を示す。
【図４】１つの例示的な実施形態による、受け部材を囲むエンドキャップの断面正面図を示す。
【図５】図４の受け部材を囲むエンドキャップの断面分解図を示す。
【図６】図１、２、３、４および５のエンドキャップの断面正面図を示す。
【図７】代替的な例示的実施形態による、２つの受け部材を両端部に含むエルボ継手の斜視図を示す。
【図８】図７のエルボ継手の断面分解図を示す。
【図９】パイプ要素に取り付けられた図７および８のエルボ継手の断面部分分解図を示す。
【図１０】さらなる例示的実施形態による、配管継手の別の種類の分解図を示す。
【図１１】図１０の配管継手を使用する断面分解図を示す。
【図１２】さらなる例示的実施形態による、パイプ要素に取り付けられた別の配管継手の断面図を示す。
【図１３】さらなる例示的実施形態による、別の配管継手の断面図を示す。
【図１４Ａ】さらなる例示的実施形態による、配管継手の別の種類の分解図を示す。
【図１４Ｂ】図１４Ａの配管継手の別の分解図である。
【図１４Ｃ】図１４Ａの配管継手の別の分解図である。
【図１５Ａ】さらなる例示的実施形態による、配管継手の別の種類の分解図を示す。
【図１５Ｂ】図１５Ａの配管継手の断面図である。
【図１６】さらなる例示的実施形態による、配管継手の別の種類の分解図を示す。
【図１７】さらなる例示的実施形態による、配管継手の別の種類の分解図（右側）および組立図（左側）を示す。
【図１８】図１７の例の２つの要素の分解図を示す。
【発明を実施するための形態】
【００２４】
特許請求の範囲および／または明細書において用語「含む（ｃｏｍｐｒｉｓｉｎｇ）」と共に使用されるときの「ａ」または「ａｎ」という語は、「１つの」を意味することがあるが、内容が別段に明確に示さない限り、「１つまたは複数の」、「少なくとも１つの」、および「１つまたは１つより多くの」の意味とも一致する。同様に、「別の」という語は、その内容が別段に明確に示さない限り、「少なくとも第２のまたはそれ以上の」を意味することがある。
【００２５】
本明細書および特許請求の範囲で使用されるとき、「含む（ｃｏｍｐｒｉｓｉｎｇ）」（および「含む（ｃｏｍｐｒｉｓｅ）」および「含む（ｃｏｍｐｒｉｓｅｓ）」などの含む（ｃｏｍｐｒｉｓｉｎｇ）のあらゆる態様）、「有する（ｈａｖｉｎｇ）」（および「有する（ｈａｖｅ）」および「有する（ｈａｓ）」などの有する（ｈａｖｉｎｇ）のあらゆる形態）、「含む（ｉｎｃｌｕｄｉｎｇ）」（および「含む（ｉｎｃｌｕｄｅ）」および「含む（ｉｎｃｌｕｄｅｓ）」などの含む（ｉｎｃｌｕｄｉｎｇ）のあらゆる形態）または「含む（ｃｏｎｔａｉｎｉｎｇ）」（および「含む（ｃｏｎｔａｉｎ）」および「含む（ｃｏｎｔａｉｎｓ）」などの含む（ｃｏｎｔａｉｎｉｎｇ）のあらゆる形態）という語は、包括的またはオープンエンドであり、追加の列挙されていない要素もプロセスステップも除外しない。
【００２６】
例えば、環状解放部材は手動で作動可能である。
【００２７】
例えば、少なくとも１つの受け部材は、ハウジングの端部に配置されている。
【００２８】
例えば、少なくとも１つの環状シールおよび環状溝は一体的に形成されている。
【００２９】
例えば、少なくとも１つの環状シールの内径は、ハウジングの内径よりも小さい。
【００３０】
例えば、少なくとも１つの環状シールは、Ｏリングである。
【００３１】
例えば、配管継手は２つの環状シールを含む。
【００３２】
例えば、２つの環状シールはＯリングである。
【００３３】
例えば、２つの環状シールは互いに隣接していない。
【００３４】
例えば、歯は、受け部材内でのパイプ部材の回転運動および長手方向の運動を防止するように寸法決めされている。
【００３５】
例えば、環状ロック部材の環状基部は、受け部材内での環状ロック部材の回転運動および長手方向の運動を抑制するためにそこから外側に延びる少なくとも１つのロックタブを含み、少なくとも１つのロックタブは受け部材内に形成されたロック溝内に挿入される。
【００３６】
例えば、環状ロック部材の環状基部は、受け部材に形成された２つのロック溝に挿入された２つのロックタブを含む。
【００３７】
例えば、環状ロック部材は、非腐食性の金属またはプラスチックで作られる。
【００３８】
例えば、非腐食性金属はステンレス鋼である。
【００３９】
例えば、歯は鋸歯状の縁部を含む。
【００４０】
例えば、傾斜部分は、受け部材に形成された第２のチャンバに載る。
【００４１】
例えば、第２のチャンバから突出する棚部は、傾斜部分が当接する肩部を形成する。
【００４２】
例えば、環状解放部材が解放位置にあるとき、傾斜部分は、受け部材の表面に向かって変位される歯を押圧し、それによって歯をパイプ要素から解放する。
【００４３】
例えば、環状解放部材は、傾斜部分の反対側にフランジ付き端部をさらに含む。
【００４４】
例えば、フランジ付き端部は、環状解放部材から半径方向外向きに延びる。
【００４５】
例えば、フランジ付き端部は、ハウジング内での環状解放部材の動きを制限するように受け部材に当接する。
【００４６】
例えば、フランジ付き端部を押すと、傾斜部分が歯に押し付けられ、それによって歯がパイプ部材から解放される。
【００４７】
例えば、歯からのパイプ要素の解放は、道具に頼らなくてもよい。
【００４８】
例えば、環状解放部材は、工具がなくても作動可能である。
【００４９】
例えば、ハウジングは、互いに流体流連通している２つの受け部材を含む。
【００５０】
例えば、２つの受け部材はそれらの間に管体を含む。
【００５１】
例えば、ハウジングは３つの受け部材を含む。
【００５２】
例えば、配管継手は、エンドキャップ、カップリング継手、Ｙ継手、Ｔ継手、ＴＹ継手、４５°エルボ継手、および９０°エルボ継手である。
【００５３】
例えば、少なくとも１つの受け部材は、互いに組み合わされた第１の受け部材部分と第２の受け部材部分とから構成される。
【００５４】
例えば、第１の受け部材と第２の受け部材とが一体的に形成される。
【００５５】
例えば、第１の受け部材および第２の受け部材は、雌型縁部およびそれと結合するための雄型縁部を含む。
【００５６】
さらに、本明細書では、以下を含む配管継手の製造方法が提供される。
受け部材の第１の半部を得ること、
受け部材の第１の半部に少なくとも１つの環状シール部材、環状ロック部材および環状解放部材を挿入すること、および
少なくとも１つの環状シール部材、環状ロック部材および環状解放部材を間に挟むように受け部材の第１の半部を受け部材の第２の半部と組み合わせること。
【００５７】
例えば、受け部材部分は互いに組み合わされ、少なくとも１つの環状シールを受けるための環状溝が形成される。
【００５８】
例えば、受け部材部分は１つに組み合わされ、環状ロック部材の環状基部を受けるための第１のチャンバが形成される。
【００５９】
例えば、受け部材部分は１つに組み合わされ、環状解放部材の傾斜部分を受けるための第２のチャンバが形成される。
【００６０】
例えば、配管継手は、ロック部材の歯を内側に付勢および／または維持するためのスペーサをさらに含むことができる。
【００６１】
例えば、配管継手は、ロッキングの歯が所望の位置を越えて外側に移動するのを防止するためのスペーサをさらに含むことができる。
【００６２】
別の態様では、以下を含む配管継手の製造方法が提供される。
受け部材の第１の部分を得ること、
受け部材の第１の部分に少なくとも１つの環状シール部材、環状ロック部材および環状解放部材を挿入すること、および
少なくとも１つの環状シール部材、環状ロック部材および環状解放部材を間に挟むように、受け部材の第１の部分を受け部材の第２の部分および受け部材の第３の部分と組み合わせること。
【００６３】
例えば、本明細書に開示されている配管継手は、本明細書に開示されている方法に従って製造することができる。
【００６４】
例えば、受け要素は、受け部材の内側に環状ロック部材および少なくとも１つの環状シールを維持する。
【００６５】
例えば、受け要素は受け部材に接着することができる。
【００６６】
例えば、受け要素は受け部材にスナップ嵌めすることができる。
【００６７】
例えば、受け要素は、受け部材内に画定された突き合わせ溝内にロックするのに有効な少なくとも１つのニップルを含むことができる。
【００６８】
例えば、継手は、環状ロック部材と環状シールとの間に配置されたスペーサをさらに含むことができ、スペーサは、ロック部材の歯を内側に付勢している。
【００６９】
例えば、継手は、少なくとも１つの別の環状シールをさらに含むことができ、シールは、パイプ部材が受け入れられるべき受け部材の受入れ端部に接続されている。
【００７０】
例えば、パイプ部材を配管継手内に押し込むことによってパイプ部材に圧力を加えることによってパイプ部材を配管継手内に挿入することは、歯を解放位置へと外向きに移動させることができ、この際パイプ部材を解放することによって歯はロック位置に戻される。
【００７１】
例えば、パイプ部材を配管継手内に押し込むことによってパイプ部材を配管継手内に挿入することは、歯を外向きに解放位置に移動させることができ、この際パイプ部材を解放することによって歯はロック位置に戻される。
【００７２】
例えば、本方法は、配管継手内に配置された解放部材に圧力を加えることによって配管継手とパイプ部材とを互いに切り離すことであって、この際、解放部材に圧力を加えると歯はパイプ部材を自由にするよう解放位置へと外向きに付勢される、切り離すこと、およびパイプ部材を配管継手から引き抜くことをさらに含むことができる。
【００７３】
例えば、本方法は接着剤がない状態で実施することができる。
【００７４】
例えば、本方法は、配管工具がない状態で接着剤がない状態で実施することができる。
【００７５】
例えば、本方法は、単に手を使用して実施することができる。
【００７６】
以下の実施例は非限定的であり、そして本開示の材料およびプロセスをよりよく例示するために使用される。
【００７７】
実施例
ここで図１を参照すると、（部分的に示されている）受け部材を取り囲むエンドキャップ１の正面図が示されている。環状解放部材（解放カラー）５のフランジ付き端部は、受け部材に取り付けられたパイプ要素８と共に見ることができる。
【００７８】
様々な例示的実施形態によれば、一次開口部５は、配管レイアウトのサイズに従ってサイズ設定することができる。
【００７９】
次に図２を参照すると、継手の取り外しを容易にするためのＬ字形部分１４を形成する環状解放部材（解放カラー）５の斜視図が示されている。このＬ字形部分は、環状解放部材５から半径方向外向きに延びるフランジ付き端部１４からなる。フランジ付き端部の反対側に、傾斜部分１５を見ることができる。ユーザがフランジ付き端部１４を押すと、（図３に示すような）環状ロック部材の鋼製リング歯６が（図１に示す）パイプ要素８から解放される。
【００８０】
様々な例示的実施形態によれば、環状解放部材５、フランジ付き端部１４、および傾斜部分１５は、中実部品（配管業界で使用することができる任意の種類のプラスチック）からなる。例えば、環状解放部材、そのフランジ付き端部および傾斜部分は一体成形されている。
【００８１】
ここで図３を参照すると、環状ロック部材４の環状基部から延びる傾斜した歯６を有する環状ロック部材（鋼性リング）４の正面図が示されている。使用時、少なくとも１つの傾斜した歯６の端部が、パイプ要素を長手方向の動きからロックし、鋸歯状の縁部７はパイプ要素の回転運動を防ぐ（パイプ要素が回るのを防ぐ）。特定の実施形態では、例えば図３に示されるように、環状ロック部材４の長手方向運動および回転運動は、環状ロック部材４の１つまたは複数の側面上のロックタブ１２の助けを借りてさらに低減される。例えば、環状ロック部材４の周囲に２つ以上のロックタブ１２が存在することができる。これらのロックタブは、受け部材内に形成された窪みまたはロック溝１８に挿入される。
【００８２】
様々な例示的実施形態によれば、環状ロック部材４、歯６、鋸歯状の縁部７、およびロックタブ１２は、非腐食性の任意の硬質材料で作ることができる。例えば、それらはステンレス鋼で作ることができる。
【００８３】
ここで図４を参照すると、受け部材を取り囲むエンドキャップ１の断面図が示されている。エンドキャップ１は異なる方法で製造されてもよいが、ここでは例えば一緒に組み合わされると環状溝１６（ここでは２つの溝を観察できる）ならびにロック溝（窪み）１８を形成する２室モールド（受け部材の２つの半分部分）として示される。さらに、図４には、環状ロック部材４の環状基部を嵌め込むために受け部材内にチャンバ２７が形成されていることが見て取れる。受け部材はまた、斜め部分９を含む。使用時には、歯６は、環状解放部材の傾斜部分１５によってこの斜め部分９に押し付けられる（図５および図６に示すように）。
【００８４】
様々な例示的な実施形態によれば、図４に示されるように受け部材を囲むエンドキャップ、環状解放部材の傾斜部分の底部が棚部１７に当接することもまた示される。環状解放部材を受け部材内に保持するために使用することができる他の要素が理解される。例えば、保持肩部を使用することができる。この例では、第２のチャンバが受け部材内に形成されている。傾斜部分はこの第２のチャンバに着座する。この例では、傾斜部分の一方の側（広い方の部分）が第２のチャンバから突出する棚部に当接し、傾斜部分の他方側（狭い方の部分）が環状ロック部材４に当接している。
【００８５】
様々な例示的実施形態によれば、（図４に示されるように）保持部材を囲むエンドキャップは、互いにしっかりと結合することができる雌型縁部（スロット）２２および雄型縁部（部品）２４を含む。これにより、部品を互いに融着または接着する必要性がなくなり、配管継手１の両側を接合することが可能になる。その結果、２つの部品は一体的に成形される。
【００８６】
ここで図５および図６を参照すると、受け部材を囲むエンドキャップ１の図が示されており、より具体的には雌型窪み（または縁部）２２、雄型部品（または縁部）２４、環状溝１６、ロックタブ１２のためのロック溝１８、受け部材の斜め部分９、環状ロック部材４の環状基部を収容するための第１のチャンバ２７、および第２のチャンバから突出して環状解放部材（解放カラー）５を固定する働きをする棚部１７が示されている。図示のように、環状解放部材５は、使用時にＬ字形フランジ付き端部１４を押すことによって押し上げられて、受け部材の斜め部分９に向かって押圧される歯６、７を解放する傾斜部分１５を含む。
【００８７】
ここで図７を参照すると、エルボ継手２の斜視図が示されている。ドレン、排水または通気システムに適切でありまた中央システムにも適切である（４５、ＴＹ、Ｙ、カップリング等）など他の任意の種類の継手を使用することができることは理解されよう。これらの継手は、医療システムおよび医療機器ならびにＨＶＡＣシステム（暖房、換気／換気、および空調）での使用にも適している。ここで図８および図９を参照すると、エルボ継手２およびその構成要素の分解断面図が示されている。特に、図８および図９において、雌型縁部（窪み）２２、雄型縁部（部品）２４、環状溝１６、ロック溝１８、受け部材の斜め部分９、および第１のチャンバ２７を見ることができる。環状解放部材５が受け部材から滑り落ちるのを防止する棚部１７も示されている。環状解放部材１５の傾斜部分も示されている。使用時、ユーザは、環状ロック部材４の歯を解放するためにフランジ付き端部１４を押す。歯は、パイプ要素８を解放する傾斜部分によって斜め部分９に向かって押される。
【００８８】
図７、８および９に示す様々な例示的実施形態によれば、受け部材は、継手本体２のいずれかの端部に配置することができる。ドレン、排水管、プールラインまたは通気システムおよび中央システムに使用される４５°継手、ＴＹ継手、Ｙ継手、カップリング等などの任意の他の種類の継手を使用することができる。同じく図８および９に示されているのは、配管継手内で詰まる可能性のない均一な流れを保証する肩部３１である。
【００８９】
ここで図１０を参照すると、尾部片３４、パイプ要素８、ナット１９、およびナイロンワッシャ３７を環状解放部材１４とともに備えた捕捉アダプタ３の分解図が示されている。
【００９０】
ここで図１１、１２を参照すると、捕捉アダプタ３の断面分解図が示され、雌型縁部２２、雄型縁部２４、環状溝１６、ロック溝１８、受け部材の斜め部分９および環状ロック部材４の環状基部を受けるチャンバ２７を示している。また、環状解放部材５を固定するための棚部１７も示されている。環状解放部材５は、ユーザがフランジ付き端部１４を押すことによって押し上げられると歯６、７を解放し、それによってパイプ要素８を解放する斜め部分１５を備える。
【００９１】
様々な例示的実施形態によれば、図１１、１２はまた、尾部片３４を捕捉アダプタ３に挿入した後、ナット１９が雄型アダプタ２６上にねじ留めされ、尾部片３４上の漏れを防ぐためにナイロンワッシャ３７によって締め付けられることを示している。また、配管継手内で詰まる可能性のない均一な流れを保証する継手３１内の肩部も示されている。
【００９２】
別の例によれば、図１３は、所与の角度を選択するために移動させることができるスライド可能または後退可能な部分９９を有する継手を示す。したがって、この拡張可能な継手は、所望の角度を採用するように構成されている伸縮部分として作用するこの可動部分を有する。したがって、この継手は多用途型であり、例えば０〜９０度の任意の角度を採用するように調整することができる。例えば、それは４５度または９０度の角度とすることができる。図１３から分かるように、継手は雄型１雌型の構成で作られており、雄型部分は雌型部分にスライド可能に挿入されている。したがって、各部分（上部および下部）を互いに対してスライドさせることによって、ユーザは、継手によって採用される角度を選択することができる。
【００９３】
ここで図１４Ａ、１４Ｂおよび１４Ｃを参照すると、別の例が提供されている。図１４Ａ、１４Ｂ、および１４Ｃの直線状の継手４７は、図７〜９に提示したものと同様のものであるが、いくつかの特殊性を有する。実際、それは両端に１つしかシールがない。さらに、それは、環状ロック部材４を受けるための受け要素４６を含む。環状解放部材５もまた、組み合わせ５５を形成するように受け要素４６に挿入される。シール２がハウジング４７に挿入されると、ロック部材４および解放部材５が挿入されている受け要素４６は、受け部材（より具体的には受け部材の第１のチャンバ）に挿入することができる。それは最終的に、２つの受け部材を有するハウジング４７の両端で行われる。次に、継手は使用する準備が整い、また両端でパイプ要素８を受ける準備が整う。
【００９４】
図１４Ａ、１４Ｂおよび１４Ｃにおいて、その左側で、受け要素４６はロック部材４および解放部材５がその中に挿入された状態（組合せ５５）で示されているが、その右側で、受け要素４６はロック部材４がその中に挿入されているが、解放部材５から離れて示されている。
【００９５】
例えば、組み合わせ５５はまた、様々な方法でハウジング７に接着またははんだ付けすることができる。
【００９６】
図１４Ａ、１４Ｂ、および１４Ｃに提示される実施形態は、（例えば超音波溶接を使用することによって）受け部材の２つの部分または２つの半部を互いに接続することを回避することを可能にする。したがって、上述のように様々な部材を単に挿入することによって、図１４Ａ、１４Ｂおよび１４Ｃの継手を製造することができる。例えば、図１４Ａ、１４Ｂおよび１４Ｃの配管継手は、すべて単一片から作られた部材を含むことができる。
【００９７】
受け要素４６はまた、その中に挿入された少なくとも１つのシールを有することができる。
【００９８】
図１５Ａおよび１５Ｂの配管継手において、カップリングまたは継手４７に挿入される中のシール２。次いで、スペーサ５１をカップリングまたは継手４７に挿入する。このようなスペーサは、ロック部材４の歯を内側に維持または付勢するために使用される。これにより、数回使用した後でも配管継手を効率的に維持することが可能になる。次に、ロック部材４を４７に挿入し、受け要素７２（押込みカップ）がロック部材４、スペーサ５１およびシール２を継手またはカップリング４７に押し込む。受け要素７２はまた、継手またはカップリング４７中に形成された突き合わせ溝または凹部６３にロックするのに効果的である少なくとも１つのニップル５７を含む。あるいは、凹部または溝６３は、継手４７の厚さ全体に画定されるスロットでもよい。スペーサ５１は、ロック部材４の歯がスプリングバック反作用を有することができるように、任意の種類の硬質プラスチックまたはゴムから作ることができる。受け要素７２は、５７をスロットに滑らせながら４、５１および２を４７内のその定位置まで押し込み、その後最後に少しねじることにより受け要素７２ならびに４、５１および２は定位置にロックされる。
【００９９】
あるいは、受け要素７２は４７に接着することができ、そのような場合、ニップル５７および突き合わせ溝または凹部６３は必要ない。解放部材５は、最後に７２に押し込まれるかまたはスナップ留めされる。シール２は、コードに使用される任意の種類のシールであることができる。
【０１００】
図１５Ｂは、図１５Ａの断面図であるが、シール２３が図１５Ａのシール２と置き換わっている。
【０１０１】
図１５Ｂから、配管継手は、均一な流れを作り出すための肩部またはパイプストッパとしての役割を果たす３１を依然として有することが分かる。
【０１０２】
シール２３は、パイプとのシールを形成するのに必要な任意の形状、形態、または任意の材料であってよい。
【０１０３】
継手１は、一端でＯリング（または任意の他の種類のシール）である２３である。
【０１０４】
シール２３と４との間のスペーサ５１は、ロック部材４を取り付けるための斜面を有し、歯がスプリングバック反作用を有することができるように任意の種類の硬質プラスチックまたはゴムで作ることができる。
【０１０５】
受け要素６１は、ロック部材４、スペーサ５１、およびシール２３を継手１内のその位置に押し込む押込みカップである。
【０１０６】
要素５６は、定位置に６１を保持するべく端部で継手１に接着されたロックリングである。
【０１０７】
解放部材５は、６１に嵌め込まれる解放カラーである。
【０１０８】
要素５６は、６１の接着または嵌め込みシステムがより良い選択肢であることが分かった場合には不要であり得る。
【０１０９】
図１７および１８において、受け要素１７２のスロット１５９内に入るように寸法決めされたニップル１５８を備える解放部材１０５の異なるバージョンが示されている。受け要素１７２は、継手１４７の左下部に示されるスロットに挿入されるように適合されたニップル１５７を備える。ロック部材４、スペーサ５１およびシール２は、図１５Ａに関して記載した通りである。図１７に示すように（左側を参照）、全ての構成要素１０５、１７２、４、５１および２が継手１４７にスナップ嵌めされると、ニップル１５９がスロット１６１に挿入される。すべての構成要素１０５、１７２、４、５１、２および１４７に挿入され得るパイプ部材を解放するために、ユーザは解放部材（図１７の左側部分の解放部材を参照）を上方に単に回転させて、ニップル１５９をスロット１６０へ（スロット１６１ではなく）さらに戻し、次いで解放部材１０５を継手１４７に向かって押して環状ロック部材５の歯を外向きに付勢し、パイプを全ての構成要素１０５、１７２、４、５１、２および１４７の外側に引っ張ることによってパイプを切り離すことができる。パイプを継手１４７に挿入し戻すために、ユーザは、パイプを１０５、１７２、４、５１、２および１４７に挿入し戻し、次に部材１０５を下方に回転させてニップルをスロット１６１に（スロット１６０ではなく）戻すだけでよく、それによってパイプ部材を継手１４７にロックする。
【０１１０】
当然のことながら、図１４Ａ、１４Ｂ、１４Ｃ、１５Ａ、１５Ｂ、１６、１７および１８に示される直線状の継手ではなく（４５°、ＴＹ、Ｙ、カップリング等）などの他の任意の種類の継手を使用することができる。そのような継手は、その目的のために使用されているＡＢＳまたはＰＶＣまたは他の任意の種類のＤＷＶ、ＨＶＡＣまたは医療用パイプであり得る。それはドレン、排水または通気システムに好適であり得、そしてまた中央システムに使用することができる。本継手は、ＨＶＡＣシステム（暖房、換気／換気、および空調）と同様に医療システムおよび医療機器での使用に好適であり得る。
【０１１１】
本開示の継手、方法およびキットは、接着剤を塗布する前に必要とされ得るＡＢＳ接着剤またはＰＶＣ接着剤またはプライマーの使用を回避することができるので、非常に有用であることが見出された。さらに、それは（ｔｈｙｎ）配管工具を使用せずに組み立てることができる。それはまた、（従来の配管継手のように）正確な直線の整列を必要とせずに使用することができる。従来の配管継手では、整列がほぼ完全に真っ直ぐではない場合、これは水漏れを引き起こす可能性がある。また、本継手は、継手内へのパイプの回転を可能にする。接着された従来のパイプ部材および継手は互いに回転することができない。また、ユーザは解放部材を押すことによってパイプを継手から容易に切り離し、それを速やかに再導入することができる。それは従来の接着されたパイプと継手の組み合わせでは行うことができない。本開示の継手、キットおよび方法を使用することによって、多くの無駄な時間および材料を節約することができる。
【０１１２】
請求項の範囲は、本開示において提供される特定の実施形態および例によって限定されるべきではなく、本開示全体と一致する最も広い解釈を与えられるべきである。
【図１】
2019523380.tif 000003
【図２】
2019523380.tif 000004
【図３】
2019523380.tif 000005
【図４】
2019523380.tif 000006
【図５】
2019523380.tif 000007
【図６】
2019523380.tif 000008
【図７】
2019523380.tif 000009
【図８】
2019523380.tif 000010
【図９】
2019523380.tif 000011
【図１０】
2019523380.tif 000012
【図１１】
2019523380.tif 000013
【図１２】
2019523380.tif 000014
【図１３】
2019523380.tif 000015
【図１４Ａ】
2019523380.tif 000016
【図１４Ｂ】
2019523380.tif 000017
【図１４Ｃ】
2019523380.tif 000018
【図１５Ａ】
2019523380.tif 000019
【図１５Ｂ】
2019523380.tif 000020
【図１６】
2019523380.tif 000021
【図１７】
2019523380.tif 000022
【図１８】
2019523380.tif 000023
【国際調査報告】
2019523380.tif 000024
2019523380.tif 000025
2019523380.tif 000026
2019523380.tif 000027
2019523380.tif 000028
2019523380.tif 000029